(57)【要約】【課題】搬送用ローラと排出用ローラが保持トレイに接触する各接点の作る搬送平面が記録ヘッドのインク吐出面に対して傾斜していても、保持トレイ上の被記録材の被記録面の、前記インク吐出面に対する平行度を確保して該保持トレイを搬送できるようにすること。【解決手段】被記録材Qのセット部71を有する保持トレイ55と、該保持トレイの裏面となる第２の面に接触する搬送用ローラ34と、該搬送用ローラより下流側に配置され、前記第２の面に接触する排出用ローラ43と、前記両ローラの間に位置し被記録材に記録を実行する記録実行装置4とを備え、搬送用ローラ及び排出用ローラが保持トレイの第２面にそれぞれ接触する各接点S,Uが作る搬送平面80は、記録ヘッドのインク吐出面と傾斜角度βをもって形成され、前記保持トレイのセット部のセット面71aは、前記搬送平面の傾斜角度βを相殺する角度に設定されている。【選択図】図６
2010046888.tif 000002
【特許請求の範囲】
【請求項１】
被記録材のセット部を有する保持トレイと、
前記保持トレイの前記セット部が形成されていない第２の面に接触する搬送用ローラと、
前記搬送用ローラより搬送方向の下流側に配置され、前記保持トレイの第２の面に接触する排出用ローラと、
前記搬送用ローラと排出用ローラの間に位置し、記録ヘッドからインクを吐出して搬送される前記被記録材に記録を実行する記録実行装置と、を備え、
前記搬送用ローラが保持トレイの第２面に接触する接点及び前記排出用ローラが保持トレイの第２面に接触する接点が作る搬送平面は、前記記録ヘッドのインク吐出面と傾斜角度βをもって形成され、
前記保持トレイの第２の面が前記搬送用ローラと排出用ローラとに接触している状態における前記セット部のセット面は、前記搬送平面の傾斜角度βを相殺する角度に設定されていることを特徴とする記録装置。
【請求項２】
請求項１に記載の記録装置において、
前記搬送用ローラと排出用ローラの間に位置し、前記保持トレイの第２の面に接触するガイド部材を備え、
前記各接点及び前記前記ガイド部材の接触面が一つの搬送平面を作り、該搬送平面は前記記録ヘッドのインク吐出面と傾斜角度βをもって形成されていることを特徴とする記録装置。
【請求項３】
請求項２に記載の記録装置において、
前記被記録材と異なる他の被記録材が前記保持トレイを使わずに前記搬送用ローラ及び／又は排出用ローラによって直接搬送され前記記録実行装置によって記録実行可能に構成され、
前記ガイド部は、前記他の被記録材における通過領域の外側に位置することを特徴とする記録装置。
【請求項４】
請求項１から３のいずれか１項に記載の記録装置において、
前記インク吐出面から吐出されるインクの吐出タイミングは、前記保持トレイ上の被記録材の搬送位置によって、該被記録材の被記録面と前記インク吐出面とのギャップが前記搬送平面の傾斜角度βに基づいて変化する当該ギャップの変位量を相殺するように補正される構成であることを特徴とする記録装置。
【発明の詳細な説明】
【技術分野】
【０００１】
本発明は、保持トレイを使用してＣＤ−Ｒ等の硬質の被記録材に記録を実行するプリンタ、ファクシミリあるいは複写機に代表される、複合機を含む概念の記録装置に関する。
【背景技術】
【０００２】
以下、記録装置の一例であるインクジェットプリンタを例に採って説明する。インクジェットプリンタには、用紙やフィルム等、自立性を有しない軟質の被記録材と、光ディスク（ＣＤ−ＲやＤＶＤ−Ｒ等）で代表される、自立性を有する硬質の被記録材との両方に対して選択的に記録を実行することができる構造のものが在る。そして、前記ＣＤ−Ｒ等の硬質の被記録材に対して記録を実行する場合には、別途付属品として用意されている専用の保持トレイを使用するか、下記の特許文献１に示すようにプリンタ本体内に保持トレイが内蔵されている構造のインクジェットプリンタを使用する。前記保持トレイにはＣＤ−Ｒ等の被記録材をセットするセット凹部が設けられている。
【０００３】
前記２種類の被記録材の記録実行領域への搬送と、記録装置本体外への排出は同一の搬送用ローラと排出用ローラとを使用して実行されている。搬送用ローラは搬送駆動ローラと搬送従動ローラの対からなり、排出用ローラは排出駆動ローラと排出従動ローラの対からなる。従って、専用の保持トレイを使用して記録を実行する硬質の被記録材に対応するために、記録実行領域に存する被記録材が記録ヘッドのインク吐出面に対して平行になるよう、前記搬送駆動ローラと排出駆動ローラの設置高さは同一の高さに設定されていた。
【特許文献１】特開２００５−５９５８４号公報
【発明の開示】
【発明が解決しようとする課題】
【０００４】
一方、軟質の被記録材を搬送する場合には、被記録材をプラテンに押し付けて、記録ヘッドのインク吐出面との間のギャップをより安定させることが当該被記録材のヘッド擦れを防止し、記録実行品質の向上を図る上で望ましいとされている。この場合、排出駆動ローラの設置高さを搬送駆動ローラの設置高さより高くすれば一層効果的である。
【０００５】
しかし、排出駆動ローラの設置高さを搬送駆動ローラの設置高さよりも高くすると、硬質の被記録材を保持トレイで搬送する場合に該保持トレイ及び該被記録材が傾いてしまい、記録ヘッドのインク吐出面に対する平行度が低下する。従って、硬質の被記録材に対して記録を実行する場合には、記録ヘッドのインク吐出面と被記録材の被記録面との傾きによって、記録実行品質が低下する問題がある。
【０００６】
本発明の目的は、搬送用ローラと排出用ローラが保持トレイに接触する各接点の作る搬送平面が記録ヘッドのインク吐出面に対して傾斜していても、保持トレイ上にセットされた被記録材の被記録面の、前記インク吐出面に対する平行度を確保して該保持トレイを搬送し、記録できるようにすることにある。
【課題を解決するための手段】
【０００７】
前記目的を達成するために本発明の第１の態様に係る記録装置は、被記録材のセット部を有する保持トレイと、前記保持トレイの前記セット部が形成されていない第２の面に接触する搬送用ローラと、前記搬送用ローラより搬送方向の下流側に配置され、前記保持トレイの第２の面に接触する排出用ローラと、前記搬送用ローラと排出用ローラの間に位置し、記録ヘッドからインクを吐出して搬送される前記被記録材に記録を実行する記録実行装置とを備え、前記搬送用ローラが保持トレイの第２面に接触する接点及び前記排出用ローラが保持トレイの第２面に接触する接点が作る搬送平面は、前記記録ヘッドのインク吐出面と傾斜角度βをもって形成され、前記保持トレイの第２の面が前記搬送用ローラと排出用ローラとに接触している状態における前記セット部のセット面は、前記搬送平面の傾斜角度βを相殺する角度に設定されていることを特徴とするものである。
【０００８】
本態様によれば、搬送用ローラ及び排出用ローラがそれぞれ保持トレイの第２面に接触する二つの接点が作る搬送平面が、記録ヘッドのインク吐出面と傾斜角度βをもって形成されていても、前記保持トレイの第２の面が前記搬送用ローラと排出用ローラとに接触している状態における前記セット部のセット面は、前記搬送平面の傾斜角度βを相殺する角度に設定されている。従って、保持トレイ上にセットされた被記録材の被記録面は、前記インク吐出面に対する平行度が維持され、記録品質の低下を防止することができる。
【０００９】
本発明の第２の態様は、前記第１の態様に係る記録装置において、前記搬送用ローラと排出用ローラの間に位置し、前記保持トレイの第２の面に接触する接触面を有するガイド部材を備え、前記各接点及び前記接触面が一つの搬送平面を作り、該搬送平面は前記記録ヘッドのインク吐出面と傾斜角度βをもって形成されていることを特徴とするものである。
【００１０】
本態様によれば、記録開始当初及び記録終了間際の所定範囲においては、保持トレイの第２面は搬送用ローラと排出用ローラの一方のみにしか接触しない奥行き寸法の短かい短寸の保持トレイを使用した場合であっても、ガイド部材の存在によって当該保持トレイは搬送用ローラと排出用ローラの両方によって支持された状態と同じ姿勢に保持されて搬送される。従って、前記短寸の保持トレイであっても、長尺な保持トレイと同様に搬送時の姿勢を一定姿勢に確保することができ、前記第１の態様と同様の作用、効果を奏することができる。
【００１１】
本発明の第３の態様は、前記第２の態様に係る記録装置において、前記被記録材と異なる他の被記録材が前記保持トレイを使わずに前記搬送用ローラ及び／又は排出用ローラによって直接搬送され前記記録実行装置によって記録実行可能に構成され、前記ガイド部は、前記他の被記録材における通過領域の外側に位置することを特徴とするものである。
【００１２】
本態様によれば、普通紙等の軟質の被記録材を搬送する場合には、前記ガイド部の接触面は該軟質の被記録材に接触しないので、通常の円滑な搬送が実行される。一方、保持トレイで硬質の被記録材を搬送する場合には、例えば保持トレイが搬送用ローラと前記ガイド部とによって、搬送用ローラのニップ点を通過した直後の段階から平行度は確保されることになる。従って、保持トレイの長さを短くしても保持トレイの平行度をしっかり確保することが可能になる。
【００１３】
本発明の第４の態様は、前記第１の態様から第３の態様のいずれか一つに係る記録装置において、前記インク吐出面から吐出されるインクの吐出タイミングは、前記保持トレイ上の被記録材の搬送位置によって、該被記録材の被記録面と前記インク吐出面とのギャップが前記搬送平面の傾斜角度βに基づいて変化する当該ギャップの変位量を相殺するように補正される構成であることを特徴とするものである。
【００１４】
被記録材の被記録面は、前記の如く記録ヘッドのインク吐出面に対する平行度は確保されるが、保持トレイ上の硬質の被記録材は、その搬送位置によって該硬質の被記録材の被記録面と記録ヘッドのインク吐出面との間のギャップが、前記傾斜角度βに基づいて徐々に変化する。本態様によれば、前記ギャップの変化に基づくインクの着弾位置の変化は、インクの吐出タイミングの調整によって正確な位置に補正される。従って、記録品質の低下を防止することができる。
【発明を実施するための最良の形態】
【００１５】
以下、本発明に係る記録装置について説明する。最初に本発明の記録装置を実施するための最良の形態としてインクジェットプリンタ１を採り上げて、その全体構成の概略を図面に基づいて説明する。
【００１６】
図１はインクジェットプリンタの内部構造を示す保持トレイがセットポジションに位置しているときの斜視図、図２はインクジェットプリンタの内部構造の概略を示す保持トレイが記録実行領域に位置しているときの側断面図である。尚、図示のインクジェットプリンタ１は、上部に図示を省略した画像読取り装置（スキャナ）を搭載した複合型のインクジェットプリンタであり、用紙やフィルム等の軟質の被記録材Ｐと、ＣＤ−ＲやＤＶＤ−Ｒを含む光ディスク等の硬質の被記録材Ｑとの両方に対して記録を実行することができるタイプのインクジェットプリンタである。
【００１７】
このインクジェットプリンタ１は、外観が比較的フラットな面によって構成されている矩形筐体状の装置本体の一例であるプリンタ本体２を備えている。そして、前記プリンタ本体２の内部に普通紙等の軟質の被記録材Ｐと光ディスク等の硬質の被記録材Ｑを記録実行領域５１に向けて選択的に搬送し、記録実行後の被記録材Ｐ、Ｑをプリンタ本体２の外部に排出する被記録材の搬送装置５と、記録実行領域５１に搬送された被記録材Ｐ、Ｑの被記録面に各色のインクＣを吐出して、所望の記録を実行する記録実行装置４と、を備えている。
【００１８】
このうち、記録実行装置４は、記録実行領域５１の一例として上部に設けられるキャリッジ４０と、該キャリッジ４０の一例として下面に搭載される記録ヘッド４２と、記録実行領域５１の一例として下部に設けられるプラテン３８とを備えることによって基本的に構成されている。
【００１９】
キャリッジ４０は、被記録材Ｐ、Ｑの搬送方向Ａと交差する走査方向Ｂに沿って架け渡されているキャリッジガイド軸４１に沿って往復移動し得る部材である。また、記録ヘッド４２は、図示しないインク供給装置から供給されたインクＣを一例として下面に形成されているインク吐出面２０の図示しないノズル口から吐出して被記録材Ｐ、Ｑの被記録面に直接、各色のインクＣを吐出して記録を実行する部材である。また、プラテン３８は、記録実行領域５１に搬送されて来た軟質の被記録材Ｐの被記録面と反対側の搬送面を支持して、前記記録ヘッド４２のインク吐出面２０と軟質の被記録材Ｐの被記録面との間のギャップＰＧを規定する軟質の被記録材Ｐの搬送案内部材である。
【００２０】
また、前記プラテン３８は、搬送案内部３９における軟質の被記録材Ｐの通過領域５２（図５参照）に設けられており、該通過領域５２の左右外方には、記録実行領域５１に到達した保持トレイ５５における第２の面（図示の実施の形態では下面）５５ｂに当接して保持トレイ５５の搬送を案内するガイド部材５６Ｌ、５６Ｒが設けられている。そして、前記ガイド部材５６Ｌ、５６Ｒの具体的構成については、後述する。
【００２１】
［実施例］
次に、本実施の形態に係るインクジェットプリンタ１の構造と作動態様について図面に基づいて具体的に説明する。  
図３は本発明の実施形態に係る記録装置の被記録材の搬送装置を示す保持トレイがセットポジションに位置しているときの斜視図、図４は同被記録材の搬送装置の保持トレイが記録実行領域に位置しているときの要部側断面図である。また、図５は同被記録材の搬送装置の保持トレイが記録実行領域に位置しているときの要部平面図である。
【００２２】
本実施形態の被記録材の搬送装置５は、硬質の被記録材Ｑを搬送する場合に使用する凹状のセット凹部７１が形成された保持トレイ５５と、前記保持トレイ５５のセット凹部７１が形成されていない第２の面５５ｂに接触する搬送駆動ローラ３５を備える搬送用ローラ３４と、前記保持トレイ５５の第２の面５５ｂに接触し、前記搬送駆動ローラ３５より搬送方向における下流側の位置に設けられている排出駆動ローラ４４を備える排出用ローラ４３と、前記搬送駆動ローラ３５と排出駆動ローラ４４の間の位置に設けられ、前記保持トレイ５５の第２の面５５ｂに接触するガイド部材５６と、を備えている。
【００２３】
そして、本発明の特徴的構成として、前記保持トレイ５５の第２の面５５ｂと、前記搬送駆動ローラ３５との接点Ｓ、ガイド部材５６との接触面Ｔ及び排出駆動ローラ４４との接点Ｕが作る搬送平面８０は、記録ヘッド４２のインク吐出面２０と傾斜角度βをもって形成されている。更に、前記セット凹部７１のセット面７１ａは、前記搬送平面８０の傾斜角度βを相殺する角度に設定されている。即ち、セット面７１ａの傾斜角度αは、前記搬送平面８０の傾斜角度βを相殺する角度−βになるように設定されている。
【００２４】
保持トレイ５５は、本実施例では奥行き寸法の短い短寸の矩形平板状の部材によって構成されている。また、保持トレイ５５の第１の面５５ａと第２の面５５ｂは大きな起伏を有しない平行な平坦面によって形成されており、保持トレイ５５の第１の面５５ａにおける幅方向Ｂ（走査方向と同じ符号Ｂを使用する）の中央から幾分前方寄りの位置に上述したセット凹部７１が形成されている。
【００２５】
セット凹部７１は、使用が想定される硬質の被記録材Ｑが収容される大きさ、形状、深さの凹部であり、本実施例では平面視正円形状の浅底の凹部の先端部を幅方向Ｂに切り落とした形状の凹部によって構成されている。また、前記セット凹部７１の底面は、硬質の被記録材Ｑの被記録面と反対側の面を支持するセット面７１ａになっている。そして、保持トレイ５５の第２の面５５ｂに対するセット面７１ａの傾斜角度が上述した傾斜角度αになっている。
【００２６】
前記セット面７１ａの中央には、上方に突出した平面視正円形状のセンターチャック７２が設けられており、セット面７１ａ上にセットされた硬質の被記録材Ｑの中心に形成されている穴部の内周面にセンターチャック７２の係止爪を係止させて硬質の被記録材Ｑを保持するようになっている。尚、前記セット凹部７１にセットできる硬質の被記録材Ｑとしては、直径１２ｃｍあるいは直径８ｃｍ等、使用が想定されるサイズのＣＤ−Ｒ、ＣＤ−ＲＷ、ＤＶＤ−Ｒ、ＤＶＤ−ＲＷあるいは次世代の光ディスクとして注目されているブルーレイディスクや今後開発されるものを含めた種々の光ディスク等が適用可能になっている。
【００２７】
搬送用ローラ３４は、幅方向Ｂに延びる長寸の搬送駆動ローラ３５と、当該搬送駆動ローラ３５の外周面に圧接され、幅方向Ｂに適宜の間隔を空けて配設されている複数の短寸の搬送従動ローラ３６とを備えることによって構成されている。また、前記搬送駆動ローラ３５は、プリンタ本体２における左右のサイドフレーム７Ｌ、７Ｒ間に一例として水平に架け渡されているローラ駆動軸３５ａに対して設けられている。そして、前記搬送駆動ローラ３５が上述した保持トレイ５５の第２の面５５ｂに当接する接点が上述した接点Ｓになっている。
【００２８】
排出用ローラ４３は、幅方向Ｂに適宜の間隔を空けて配設される複数の短寸のゴムローラによって構成されている排出駆動ローラ４４と、該排出駆動ローラ４４と対に設けられる円板状の歯付きローラによって構成されている排出従動ローラ４５とを備えることによって構成されている。また、前記排出駆動ローラ４４は、プリンタ本体２における左右のサイドフレーム７Ｌ、７Ｒ間に一例として水平に架け渡されているローラ駆動軸４４ａに対して設けられている。そして、前記排出駆動ローラ４４が上述した保持トレイ５５の第２の面５５ｂに当接する接点が上述した接点Ｕになっている。
【００２９】
また、上述した搬送駆動ローラ３５のローラ駆動軸３５ａの一端には駆動プーリ９が設けられており、上述した排出駆動ローラ４４のローラ駆動軸４４ａの一端には従動プーリ１０が設けられている。そして、前記駆動プーリ９と従動プーリ１０との間に巻回されるタイミングベルト８によって搬送駆動ローラ３５のローラ駆動軸３５ａの回転が排出駆動ローラ４４のローラ駆動軸４４ａに伝達されて、排出駆動ローラ４４は搬送駆動ローラ３５と同期して回転し得るようになっている。
【００３０】
また、前記排出従動ローラ４５は、レリース機構６（図３）によって軟質の被記録材Ｐの排出時にとる排出駆動ローラと接触する位置であるニップ位置と、硬質の被記録材Ｑの排出時にとる前記排出駆動ローラから離間したレリース位置（図２、図４、図６−図８）との間を移動できるように構成されている。そして、軟質の被記録材Ｐは、前記ニップ位置に存する排出従動ローラ４５と排出駆動ローラ４４との挟圧送り作用によってプリンタ本体２の一例として前方に張り出すように設けられている排出用スタッカ４７上に排出されてスタックされるようになっている。
【００３１】
また、記録ヘッド４２のインク吐出面２０は水平面に平行であり、排出駆動ローラ４４の設置高さは、その最上部となる前記接点Ｓ、接点Ｔの位置として、上述したように搬送駆動ローラ３５の設置高さよりも高くなっており、記録ヘッド４２側に変位量Ｅだけ変位した位置に排出駆動ローラ４４は配設されている。このような排出駆動ローラ４４の配設態様を採ることによって軟質の被記録材Ｐの終端が搬送用ローラ３４から離れる際における軟質の被記録材Ｐの終端の浮き上がりを防止して、ヘッド擦すれが生じないようにしている。従って、前記保持トレイ５５の第２の面５５ｂに当接する排出駆動ローラ４４の接点Ｕは、搬送駆動ローラ３５の接点Ｓよりも変位量Ｅだけ記録ヘッド４２側に変位した位置に位置するようになっている。
【００３２】
ガイド部材５６は、上述したように搬送案内部３９のプラテン３８が設けられている面における軟質の被記録材Ｐの通過領域５２の左右外方に設けられている。ガイド部材５６は、一例として矩形断面の凸部によって構成されており、ガイド部材５６の保持トレイ５５側の上端面が、保持トレイ５５の平坦な第２の面５５ｂと摺接するトレイ支持面５６ａになっている。該トレイ支持面５６ａは、搬送方向Ａの下流側が高くなるように傾斜した傾斜案内面によって一例として形成されている。
【００３３】
また、前記ガイド部材５６が上述した保持トレイ５５の第２の面５５ｂに接触する接触面が上述した接触面Ｔになっている。また、上述した前記接点Ｓ、接触面Ｔ、接点Ｕは、同一平面上に位置しており、これらの接点Ｓ、接触面Ｔ、接点Ｕを含む平面が上述した搬送平面８０であり、該搬送平面８０の傾斜角度がβになっている。そして、セット面７１ａの傾斜角度αと搬送平面８０の傾斜角度βの間には、上述したようにα＝−βの関係が成立するように構成されている。
【００３４】
次に、このようにして構成される本実施例に係る記録装置の作動態様を（１）記録実行開始時、（２）記録実行中間時、（３）記録実行終了時に分けて具体的に説明する。  
図６は硬質の被記録材の搬送位置によって記録ヘッドのインク吐出面との間のギャップが変動する様子を示す記録実行開始時の側断面図、図７は同前記録実行中間時の側断面図、図８は同前記録実行終了時の側断面図である。
【００３５】
（１）記録実行開始時（図６参照）
搬送用ローラ３４から搬送力を受けた保持トレイ５５が記録実行領域５１の記録実行開始位置５１Ａに到達すると、図６に誇張して示すように、保持トレイ５５の第２の面５５ｂは、搬送駆動ローラ３５による接点Ｓと、ガイド部材５６による接触面Ｔとによって傾斜角度βの傾斜姿勢で保持される。そして、この時のセット面７１ａの傾斜角度αは、前記接点Ｓと接触面Ｔの作る搬送平面８０の傾斜角度βを相殺する角度−βに設定されているため、前記セット面７１ａにセットされている硬質の被記録材Ｑの被記録面は、記録ヘッド４２のインク吐出面２０との平行度が保たれた水平姿勢を維持している。
【００３６】
また、記録実行開始時は、硬質の被記録材Ｑの被記録面と記録ヘッド４２のインク吐出面２０との間のギャップＰＧが最も大きい。そして、そのギャップＰＧ大きい状態から、各搬送工程毎に徐々に小さくなり始める。インクＣの吐出タイミングは、最大のギャップＰＧを基準にして、徐々に遅らせる補正がされて、適正な着弾位置に着弾するようになっている。これにより、前記搬送平面８０の傾斜角度βによってギャップＰＧが変化することに基づく記録品質の低下を防止できる。
【００３７】
（２）記録実行中間時（図７参照）
搬送用ローラ３４から搬送力を受けた保持トレイ５５が記録実行領域５１の記録実行中間位置５１Ｂに到達すると、図７に誇張して示すように、保持トレイ５５の第２の面５５ｂは、搬送駆動ローラ３５による接点Ｓと、ガイド部材５６による接触面Ｔと、排出駆動ローラ４４による接点Ｕとによって傾斜角度βの姿勢で保持される。そして、この時のセット面７１ａの傾斜角度αは、前記搬送平面８０の傾斜角度βを相殺する角度−βに設定されているため、前記（１）記録実行開始時と同様、前記セット面７１ａにセットされている硬質の被記録材Ｑは、記録ヘッド４２との平行度が保たれた水平姿勢を引き続き維持している。
【００３８】
また、記録実行中間時は、記録実行開始時に比べて更にギャップＰＧが小さくなるため、インクＣの吐出タイミングを更に徐々に遅くして適正な着弾位置にインクＣが着弾するようになっている。  
尚、前記搬送平面８０の傾斜角度βが極僅かであり、ほとんど無視できる大きさである場合には、インクＣの吐出タイミングの調整は行わず、前記（１）記録実行開始時と同じインクＣの吐出タイミングで各色のインクＣを吐出して所望の記録を実行してもよい。
【００３９】
（３）記録実行終了時（図８参照）
搬送用ローラ３４から搬送力を受けた保持トレイ５５が記録実行領域５１の記録実行終了位置５１Ｃに到達すると、図８に誇張して示すように、保持トレイ５５の第２の面５５ｂは、ガイド部材５６による接触面Ｔと、排出駆動ローラ４４による接点Ｕとによって傾斜角度βの姿勢で保持される。そして、この時のセット面７１ａの傾斜角度αは、前記搬送平面８０の傾斜角度βを相殺する角度−βに設定されているため、前記（１）記録実行開始時及び（２）記録実行中間時と同様、前記セット面７１ａにセットされている硬質の被記録材Ｑは、記録ヘッド４２との平行度が保たれた水平姿勢を引き続き維持している。
【００４０】
また、記録実行終了時は、記録実行中間時に比べて更にギャップＰＧが小さくなるため、インクＣの吐出タイミングを更に徐々に遅くして適正な着弾位置にインクＣが着弾するようになっている。  
尚、前記搬送平面８０の傾斜角度βが極僅かであり、ほとんど無視できる大きさである場合には、インクＣの吐出タイミングの調整は行わず、前記（１）記録実行開始時と同じインクＣの吐出タイミングで各色のインクＣを吐出して所望の記録を実行してもよい。
【００４１】
［他の実施例］
本発明に係る記録装置１は、以上述べたような構成を基本とするものであるが、本願発明の要旨を逸脱しない範囲内の部分的構成の変更や省略等を行うことも勿論可能である。
【００４２】
例えば、硬質の被記録材Ｑが記録実行領域５１に存している記録実行開始位置５１Ａから記録実行終了位置５１Ｃまでの全領域で、保持トレイ５５の第２の面５５ｂが常に搬送駆動ローラ３５と排出駆動ローラ４４とによって支持されているような長尺な保持トレイ５５等を使用する場合には前記ガイド部材５６を省略することが可能である。そして、この場合には、保持トレイ５５の第２の面５５ｂに対する搬送駆動ローラ３５の接点Ｓと排出駆動ローラ４４の接点Ｕとを含む平面が搬送平面８０になり、セット面７１ａの傾斜角度αを前記搬送平面８０の傾斜角度βを相殺する角度−βに設定するようにする。
【００４３】
また、記録実行時のセット面７１ａは、記録ヘッド４２のインク吐出面と平行になるように設定されていればよく、必ずしも水平姿勢である場合に限らない。従って、記録ヘッド４２のインク吐出面が傾斜していたり、垂直に配置されているような場合には、記録実行時のセット面７１ａを傾斜姿勢に設定したり、垂直姿勢に設定することが可能である。また、ガイド部材５６の構造は種々の構造が採用可能であり、例えばガイドローラやガイドレール等によってガイド部材５６を構成することが可能である。
【００４４】
この他、本発明の記録装置１は、軟質の被記録材Ｐと硬質の被記録材Ｑの両方に対応できる構造の他、排出駆動ローラ４４の設置高さが搬送駆動ローラ３５の設置高さよりも高く設定されているものであれば硬質の被記録材Ｑのみに対応できる構造であっても構わない。また、本発明は、前述したインクジェットプリンタ１の他、インクジェットプリンタ１以外の他の記録装置等に適用することも可能である。
【図面の簡単な説明】
【００４５】
【図１】本発明に係るインクジェットプリンタの内部構造を示す保持トレイがセットポジションに位置している時の斜視図。
【図２】同インクジェットプリンタの内部構造の概略を示す保持トレイが記録実行領域に位置している時の側断面図。
【図３】本発明に係る被記録材の搬送装置を示す保持トレイがセットポジションに位置している時の側断面図。
【図４】同被記録材の搬送装置の保持トレイが記録実行領域に位置している時の側断面図。
【図５】同被記録材の搬送装置の保持トレイが記録実行領域に位置している時の平面図。
【図６】硬質の被記録材の搬送位置とギャップとの関係を示す記録実行開始時の側断面図。
【図７】同前記録実行中間時の側断面図。
【図８】同前記録実行終了時の側断面図。
【符号の説明】
【００４６】
１  インクジェットプリンタ（記録装置）、２  プリンタ本体（装置本体）、４  記録実行装置、５  （被記録材の）搬送装置、６  レリース機構、７  サイドフレーム、８  タイミングベルト、９  駆動プーリ、１０  従動プーリ、３４  搬送用ローラ、３５  搬送駆動ローラ、３５ａ  ローラ駆動軸、３６  搬送従動ローラ、３８  プラテン、３９  搬送案内前、４０  キャリッジ、４１  キャリッジガイド軸、４２  記録ヘッド、４３  排出用ローラ、４４  排出駆動ローラ、４４ａ  ローラ駆動軸、４５  排出従動ローラ、４７  排出用スタッカ、５１  記録実行領域、５１Ａ  記録実行開始位置、５１Ｂ  記録実行中間位置、５１Ｃ  記録実行終了位置、５２  通過領域、５５  保持トレイ、５５ａ  第１の面、５５ｂ  第２の面、５６  ガイド部材、５６ａ  トレイ支承面、７１  セット凹部、７１ａ  セット面、７２  センターチャック、８０  搬送平面、Ｐ  （軟質の）被記録材、Ｑ  （硬質の）被記録材、Ａ  搬送方向、Ｂ  走査方向（幅方向）、Ｃ  インク、ＰＧ  ギャップ、α  （セット面の）傾斜角度、β  （搬送平面の）傾斜角度、Ｓ  接点、Ｔ  接点、Ｕ  接点、Ｅ  変位量、Ｌ  着弾位置、Ｍ  着弾位置、Ｎ  着弾位置
【図１】
2010046888.tif 000003
【図２】
2010046888.tif 000004
【図３】
2010046888.tif 000005
【図４】
2010046888.tif 000006
【図５】
2010046888.tif 000007
【図６】
2010046888.tif 000008
【図７】
2010046888.tif 000009
【図８】
2010046888.tif 000010